(57)【要約】      （修正有）【課題】簡単な構成で、老眼の人の視力を改善する。【解決手段】コンタクトレンズを成形するための金型にレンズ素材を充填するレンズ素材充填工程Ａ１と、充填されたレンズ素材にマスキング材を位置させるマスキング工程Ａ２と、マスキング材を中心にして着色剤をレンズ素材に定着させる着色剤定着工程Ａ３と、マスキング材を除去するマスキング材除去工程Ａ４と、マスキング材を除去した着色剤を覆うようにカバー材をレンズ素材に設けるカバー工程Ａ５とを有し、着色部によりレンズ中心に着色しない絞り透明部を形成する。【選択図】図１
2014006432.tif 000002
【特許請求の範囲】
【請求項１】
コンタクトレンズを成形するための金型にレンズ素材を充填するレンズ素材充填工程と、
前記充填されたレンズ素材にマスキング材を位置させるマスキング工程と、
前記マスキング材を中心にして着色剤を前記レンズ素材に定着させる着色剤定着工程と、
前記マスキング材を除去するマスキング材除去工程と、
前記マスキング材を除去した着色剤を覆うようにカバー材を前記レンズ素材に設けるカバー工程と、を有し、
着色部によりレンズ中心に着色しない絞り透明部を形成することを特徴とする老眼矯正コンタクトレンズの製造方法。
【請求項２】
一対の分割コンタクトレンズを成形するレンズ成形工程と、
絞り孔を有する着色部材を成形する着色部材成形工程と、
前記一対の分割コンタクトレンズの間に前記着色部材を挟み込む挟込接合工程と、を有し、
着色部によりレンズ中心に着色しない絞り透明部を形成することを特徴とする老眼矯正コンタクトレンズの製造方法。
【請求項３】
コンタクトレンズを成形するレンズ成形工程と、
絞り孔を有する着色部材を成形する着色部材成形工程と、
前記コンタクトレンズに前記着色部材を設けてカバー材にて覆うカバー工程と、を有し、
着色部によりレンズ中心に着色しない絞り透明部を形成することを特徴とする老眼矯正コンタクトレンズの製造方法。
【請求項４】
コンタクトレンズを成形するための金型に充填されたレンズ素材にマスキング材を位置させ、
前記マスキング材を中心にして着色剤を前記レンズ素材に定着させ、
前記マスキング材を除去して着色剤を覆うようにカバー材を前記レンズ素材に設け、
着色部によりレンズ中心に着色しない絞り透明部を形成したことを特徴とする老眼矯正コンタクトレンズ。
【請求項５】
一対の分割コンタクトレンズの間に、
絞り孔を有する着色部材を挟み込み接合し、
着色部によりレンズ中心に着色しない絞り透明部を形成したことを特徴とする老眼矯正コンタクトレンズ。
【請求項６】
コンタクトレンズに、絞り孔を有する着色部材を設け、
前記着色部材をカバー材にて覆い、
着色部によりレンズ中心に着色しない絞り透明部を形成したことを特徴とする老眼矯正コンタクトレンズ。
【発明の詳細な説明】
【技術分野】
【０００１】
この発明は、角膜に直接装着して使用される矯正コンタクトレンズの製造方法及び老眼矯正コンタクトレンズに関する。
【背景技術】
【０００２】
個人が加齢するにしたがって、眼は観測者（その個人）の比較的近くの物体に焦点を合わせるために生来の水晶体が硬くなったり調節力が低くなる。このような状態は、老眼として知られており、典型的には加齢した患者は、老眼、乱視、近視、および遠視のさまざまな組合せを有し、特に、老眼を有する患者の視力を矯正することは難しく、この課題を解決するためのさまざまな方法が長年に亘って示唆されてきた。
【０００３】
ひとつの公知の方法は、凸面および反対側の凹面を有し、凸面および凹面の一方が交互に配置された遠用度数と近用度数の部分を含み、ひとつ以上の遠用度数の部分が円柱度数を有する、眼用レンズを含むコンタクトレンズを用いるものがある（特許文献１）。
【０００４】
このコンタクトレンズでは、眼用レンズの構成が複雑であり、精度も要求されることから生産コストが嵩むなどの問題があり、簡単な構成で老眼の人の視力を改善する方法が必要とされている。
【０００５】
また、レンズの中央領域に着色部を有し、着色部の中心部にピンホールを形成した多焦点コンタクトレンズがある（例えば、特許文献２、特許文献３、引用文献４）。このような、ピンホールレンズは、殆ど屈曲しない細い光が水晶体に入り焦点距離が伸び焦点深度が深くなるため、毛様体筋を使用しなくても網膜の焦点が合い視力が向上する。
【先行技術文献】
【特許文献】
【０００６】
【特許文献１】特表２００４−５０７７９４号公報
【特許文献２】米国特許第３７９４４１４号明細書
【特許文献３】特表平９−５０２５４２号公報
【特許文献４】特開平１１−２４２１９１号公報
【発明の概要】
【発明が解決しようとする課題】
【０００７】
このようなピンホールレンズでは、ピンホールの内径が小さすぎると瞳孔に入る光量が足りなくなり、大きすぎるとピンホール効果が得られなくなり、精密な寸法精度が要求され、さらに精密な位置精度、鮮明な輪郭が要求される。
【０００８】
この発明は、かかる点に鑑みてなされたもので、着色部によりレンズ中心に着色しない絞り透明部を、精密な寸法精度、精密な位置精度、鮮明な輪郭で形成することが可能な矯正コンタクトレンズの製造方法及び老眼矯正コンタクトレンズを提供することを目的とする。
【課題を解決するための手段】
【０００９】
前記課題を解決し、かつ目的を達成するために、この発明は、以下のように構成した。
【００１０】
請求項１に記載の発明は、コンタクトレンズを成形するための金型にレンズ素材を充填するレンズ素材充填工程と、前記充填されたレンズ素材にマスキング材を位置させるマスキング工程と、前記マスキング材を中心にして着色剤を前記レンズ素材に定着させる着色剤定着工程と、前記マスキング材を除去するマスキング材除去工程と、前記マスキング材を除去した着色剤を覆うようにカバー材を前記レンズ素材に設けるカバー工程と、を有し、着色部によりレンズ中心に着色しない絞り透明部を形成することを特徴とする老眼矯正コンタクトレンズの製造方法である。
【００１１】
請求項２に記載の発明は、一対の分割コンタクトレンズを成形するレンズ成形工程と、絞り孔を有する着色部材を成形する着色部材成形工程と、前記一対の分割コンタクトレンズの間に前記着色部材を挟み込む挟込接合工程と、を有し、着色部によりレンズ中心に着色しない絞り透明部を形成することを特徴とする老眼矯正コンタクトレンズの製造方法である。
【００１２】
請求項３に記載の発明は、コンタクトレンズを成形するレンズ成形工程と、
絞り孔を有する着色部材を成形する着色部材成形工程と、前記コンタクトレンズに前記着色部材を設けてカバー材にて覆うカバー工程と、を有し、着色部によりレンズ中心に着色しない絞り透明部を形成することを特徴とする老眼矯正コンタクトレンズの製造方法である。
【００１３】
請求項４に記載の発明は、コンタクトレンズを成形するための金型に充填されたレンズ素材にマスキング材を位置させ、前記マスキング材を中心にして着色剤を前記レンズ素材に定着させ、前記マスキング材を除去して着色剤を覆うようにカバー材を前記レンズ素材に設け、着色部によりレンズ中心に着色しない絞り透明部を形成したことを特徴とする老眼矯正コンタクトレンズである。
【００１４】
請求項５に記載の発明は、一対の分割コンタクトレンズの間に、絞り孔を有する着色部材を挟み込み接合し、着色部によりレンズ中心に着色しない絞り透明部を形成したことを特徴とする老眼矯正コンタクトレンズである。
【００１５】
請求項６に記載の発明は、コンタクトレンズに、絞り孔を有する着色部材を設け、前記着色部材をカバー材にて覆い、着色部によりレンズ中心に着色しない絞り透明部を形成したことを特徴とする老眼矯正コンタクトレンズである。
【発明の効果】
【００１６】
前記構成により、この発明は、以下のような効果を有する。
【００１７】
請求項１乃至請求項６に記載の発明では、着色部によりレンズ中心に着色しない絞り透明部を、精密な寸法精度、精密な位置精度、鮮明な輪郭で形成するこが可能である。
【図面の簡単な説明】
【００１８】
【図１】第１の実施の形態の老眼矯正コンタクトレンズの製造工程を説明する図である。
【図２】レンズ素材充填工程を説明する図である。
【図３】マスキング工程を説明する図である。
【図４】着色剤定着工程を説明する図である。
【図５】マスキング材除去工程を説明する図である。
【図６】カバー工程を説明する図である。
【図７】老眼矯正コンタクトレンズを示す図である。
【図８】老眼矯正コンタクトレンズの実施形態を示す図である。
【図９】第２の実施の形態の老眼矯正コンタクトレンズの製造工程を説明する図である。
【図１０】スピンキャスティング法を説明する図である。
【図１１】モールディング法を説明する図である。
【図１２】レースカット法を説明する図である。
【図１３】老眼矯正コンタクトレンズを示す図である。
【図１４】第３の実施の形態の老眼矯正コンタクトレンズの製造工程を説明する図である。
【図１５】老眼矯正コンタクトレンズを示す図である。
【図１６】老眼矯正コンタクトレンズを示す図である。
【図１７】老眼矯正コンタクトレンズを眼の角膜の表面に装着した状態を示す図である。
【図１８】老眼矯正コンタクトレンズの透明部による焦点合わせを説明する図である。
【発明を実施するための形態】
【００１９】
以下、この発明の老眼矯正コンタクトレンズの製造方法及び老眼矯正コンタクトレンズの実施の形態について説明する。この発明の実施の形態は、発明の最も好ましい形態を示すものであり、この発明はこれに限定されない。
【００２０】
（老眼矯正コンタクトレンズの製造方法及び老眼矯正コンタクトレンズ）
［第１の実施の形態］
第１の実施の形態の老眼矯正コンタクトレンズの製造方法を、図１乃至図６に基づいて説明する。図１は老眼矯正コンタクトレンズの製造工程を説明する図、図２はレンズ素材充填工程を説明する図、図３はマスキング工程を説明する図、図４は着色剤定着工程を説明する図、図５はマスキング材除去工程を説明する図、図６はカバー工程を説明する図である。
【００２１】
この実施の形態の老眼矯正コンタクトレンズの製造は、図１に示すように、レンズ素材充填工程Ａ１と、マスキング工程Ａ２と、着色剤定着工程Ａ３と、マスキング材除去工程Ａ４と、カバー工程Ａ５とを有し、老眼矯正コンタクトレンズ１に環状の着色部２を設け、このレンズ中心に着色しない円形の絞り透明部３を形成する。
【００２２】
（レンズ素材充填工程Ａ１）
レンズ素材充填工程Ａ１は、図２に示すように、コンタクトレンズを成形するための金型１０にレンズ素材１１を充填する。金型１０は、成形するコンタクトレンズの形状に形成されており、レンズ素材１１としては、公知の種々の材料が利用可能であり、酸素非透過性ハードコンタクトレンズのＭＭＡ（メタルメタクリレート）、酸素透過性ハードコンタクトレンズのＳＭＡ（シロキサニルメタクリレート）やＦＭＡ（フルオロメタクリレート）、含水性ソフトコンタクトレンズのＨＥＭＡ（ハイドロキシエチルメタクリレート），Ｎ−ＶＰ（Ｎ−ビニルピロリドン），ＤＭＡＡ（ジメチルアクリアミド），ＧＭＡ（グリセロールメタクリレート）、非含水性ソフトコンタクトレンズのシリコンラバー，ブチルアクリレート，ジメチルシロキサン、生体親和性コンタクトレンズのコラーゲン，アミノ酸共重合体などに適用できる。
【００２３】
この他、コンタクトレンズ用の重合性モノマーとしては、一般的に用いられるラジカル重合可能な化合物が考えられ、例えばビニル基、アリル基、アクリル基、またはメタクリル基を分子中に１個以上含む化合物で、通常ハードコンタクトレンズまたはソフトコンタクトレンズ材料として使用されている物質ならばどのようなものでも利用可能である。具体的には、アルキルアクリレート、シロキサニルアクリレート、フルオロアルキルアクリレート、ヒドロキシアルキルアクリレート、ポリエチレングリコールアクリレート、ビニルアクリレート等のアクリル酸エステル類、スチレンの誘導体、Ｎ−ビニルラクタム、（多価）カルボン酸ビニル等のビニル化合物等を考えることができる。さらに具体的には、例えば、スチレン、アクリル酸、メチルアクリレート、エチルアクリレート、ｎ−ブチルアクリレート、フェニルアクリレート、２−ヒドロキシエチルアクリレート、２−ヒドロキシプロピルアクリレート、メタクリル酸、メチルメタクリレート、エチルメタクリレート、ｎ−ブチルメタクリレート、２−エチルヘキシルメタクリレート、イソボルニルメタクリレート、ベンジルメタクリレート、フェニルメタクリレート、２−メタクリロイルオキシエチルコハク酸、２−ヒドロキシエチルメタクリレート、２−ヒドロキシプロピルメタクリレート、２−ヒドロキシブチルメタクリレート、フマル酸およびそれらのエステル類、メタクリロニトリル、Ｎ，Ｎ−ジメチルアクリルアミド、Ｎ−ビニル−２−ピロリドン等を用いることが可能である。
【００２４】
さらに架橋剤として、エチレングリコールジメタアクリレート、ジエチレングリコールジアクリレート、トリエチレングリコールジアクリレート、プロピレングリコールジアクリレート、トリメチロールプロパントリアクリレート、ペンタエリスリトールトリアクリレート、１，４−ブタンジオールジアクリレート、１，６−ヘキサンジオールジアクリレート、グリセリンジアクリレート、ジビニルベンゼンジアリルフタレート、ジエチレングリコールビスアリルカーボネート等の多官能モノマーを用いることができる。
【００２５】
また、ポリマーとしては、特に、官能基（例えばヒドロキシル基）をポリマー鎖上に含むか、官能基（例えばイミノ基）をポリマー鎖中に含むか、又は架橋基を介してポリマー骨格に結合した官能基を含む原料ポリマーに基づくポリマーを用いることができる。これら原料ポリマーは、特に、ポリビニルアルコールのような１，２−及び／又は１，３−ジオール構造を有するポリヒドロキシル化合物、又は酢酸ビニルの加水分解されたコポリマー（例えば、塩化ビニル、Ｎ−ビニルピロリドンなどとのコポリマー）である。
【００２６】
（マスキング工程Ａ２）
マスキング工程Ａ２は、図３に示すように、充填されたレンズ素材１１にマスキング材１２を位置させる。マスキング材１２は、コンタクトレンズのレンズ中心に精密に位置させる。このマスキング材１２を位置させる方法は、液滴として滴下させ、あるいは印刷、転写、塗布などの方法による。マスキング材１２は円形状で、例えば直径は０．８ｍｍ〜１．６ｍｍの範囲が好ましく、公差は±０，１ｍｍとする。
【００２７】
マスキング材１２としては、着色剤をはじく物質、撥インク物質を用いることができ、シリコン系化合物、フッ素系樹脂が代表的である。この撥インク物質としては、例えば、特開２０１１−９８３４１号公報、特開２０１２−３０４８８号公報、特開２０１２−２２３３７号公報、特開２０１１−２０９４４３号公報、特開２０１０−２１７９１０号公報、特開２０１０−２０８２８６号公報、特開２０１０−１０８９２７号公報、特開２０１０−３３９５２号公報、特開２００９−１６８９４８号公報、特開２００９−４８２００号公報に記載のものを用いることができる。また、着色剤としてインクを用い、このインクの調製は、例えば特表２００８−５０８３７７号公報、特表２００７−５３７４９２号公報に開示される。
【００２８】
（着色剤定着工程Ａ３）
着色剤定着工程Ａ３は、図４に示すように、マスキング材１２を中心にして着色剤１３をレンズ素材１１に定着させる。この着色剤１３をレンズ素材１１に定着させる方法としては、液滴として滴下させ、あるいは印刷、転写、塗布などの方法によるが、例えば滴下して加熱、ＵＶ照射、化学反応などによって定着させてもよい。定着した着色剤１３の直径は、例えば３．８ｍｍ〜５．０ｍｍの範囲とすることができ、公差は±０，１ｍｍとする。また、着色剤１３として、アントラキノン系着色剤、またはフタロシアニン系着色剤、またはアゾ系着色剤、またはトリフェノジオキサン系着色剤、またはビオラントロン系着色剤、または金属酸化物系着色剤、または無機系着色剤などを用いることができる。
【００２９】
（マスキング材除去工程Ａ４）
マスキング材除去工程Ａ４は、図５に示すように、マスキング材１２を除去する。このマスキング材１２の除去は、水圧洗浄、風圧洗浄などによる物理的な除去、ＵＶ照射による除去、あるいは化学的な処理による除去などを用いることができる。
【００３０】
（カバー工程Ａ５）
カバー工程Ａ５は、図６に示すように、マスキング材１２を除去した着色剤１３を覆うようにカバー材１４をレンズ素材１１に設ける。カバー材１４としては、レンズ素材のモノマーまたはポリマーよりも親水性、生体適合性はあり滑らであることが好ましく、ポリアクリル酸（ＰＡＡ）表面複合体、または炭化水素コートまたはポリマーコート、またはポリマー性カーボン第１コートなどを用いることができる。
【００３１】
このようにして、老眼矯正コンタクトレンズ１に環状の着色部２を設け、この環状の絞り孔を有する着色部２によりレンズ中心に着色しない円形の絞り透明部３を、精密な寸法精度、精密な位置精度、鮮明な輪郭で形成することが可能である。
【００３２】
（老眼矯正コンタクトレンズ）
この老眼矯正コンタクトレンズ１は、図７に示すように、コンタクトレンズを成形するための金型に充填されたレンズ素材１１にマスキング材を位置させ、マスキング材を中心にして着色剤１３をレンズ素材１１に定着させ、マスキング材を除去して着色剤１３を覆うようにカバー材１４をレンズ素材１１に設け、環状の絞り孔を有する着色部２によりレンズ中心に着色しない円形の絞り透明部３を形成した構成である。
【００３３】
この老眼矯正コンタクトレンズ１は、図８に示すように形成することができる。実施形態１（図８（ａ））は、外周が円形の老眼矯正コンタクトレンズで、着色部２の中心は円形であり、外周は６角形であり、円形が絞り透明部３である。実施形態２（図８（ｂ））は、外周が円形の老眼矯正コンタクトレンズで、着色部２の部分の中心は円形であり、外周は円形であり、円形が絞り透明部３である。実施形態３（図８（ｃ））は、外周が円形の老眼矯正コンタクトレンズで、着色部２には１９個の円形があり、外周は円形であり、１９個の円形が絞り透明部３である。実施形態４（図８（ｄ））は、外周が円形の老眼矯正コンタクトレンズで、着色部２の部分の中心は星形であり、外周は２４角形であり、星形が絞り透明部３である。実施形態５（図８（ｅ））は、外周が６角形の老眼矯正コンタクトレンズで、着色部２の中心は円形であり、外周は６角形であり、円形が絞り透明部３である。実施形態６（図８（ｆ））は、外周がハート形の老眼矯正コンタクトレンズで、着色部２の中心は円形であり、外周は円形であり、円形が絞り透明部３である。この実施形態１乃至実施形態６に示す老眼矯正コンタクトレンズの形状、着色部２の形状は、１例であり、形状の組合せはこの限りでない。
【００３４】
［第２の実施の形態］
第２の実施の形態の老眼矯正コンタクトレンズの製造方法を、図９乃至図１２に基づいて説明する。図９は老眼矯正コンタクトレンズの製造工程を説明する図、図１０はスピンキャスティング法を説明する図、図１１はモールディング法を説明する図、図１２はレースカット法を説明する図である。
【００３５】
この実施の形態の老眼矯正コンタクトレンズの製造は、図９に示すように、レンズ成形工程Ｂ１と、着色部材成形工程Ｂ２と、挟込接合工程Ｂ３とを有し、老眼矯正コンタクトレンズ１に環状の着色部２を設け、この環状の着色部２によりレンズ中心に着色しない円形の絞り透明部３を形成する。
【００３６】
（レンズ成形工程Ｂ１）
レンズ成形工程Ｂ１では、一対の分割コンタクトレンズを成形する。この分割コンタクトレンズの製造方法としては、回転するモールドの中にコンタクトレンズのレンズ素材を注入して遠心力によってこれを拡げて重合するスピンキャスティング法（図１０）、凹型にコンタクトレンズのレンズ素材を流し込んで凸型を合わせて成型するモールディング法（図１１）などが知られている。また、近年では、前面を型により形成し後面をレースカットする製造方法や、その逆に後面を型により形成して前面をレースカットするレースカット製法（図１２）などがあり、このようなコンタクトレンズの製造方法のいずれも採用することができる。
【００３７】
（着色部材成形工程Ｂ２）
着色部材成形工程Ｂ２では、環状の着色部材を成形する。着色部材は、特殊なレンズで眼の中に入る光量を調節することにより、ピンホール効果で近くが見やすくなるアキュフォーカスリングでもよく、また薄い耐熱プラスチックシート、金属薄膜、耐熱フィルムを環状に成形したものでもよい。薄い耐熱プラスチックシートとして、例えばアクリル樹脂、金属薄膜として、例えばマンガン、クロムなどの黒色金属、耐熱フィルムとして、例えばポリイミドフィルムなどを用いることができる。
【００３８】
（挟込接合工程Ｂ３）
挟込接合工程Ｂ３では、一対の分割コンタクトレンズの間に着色部材を挟み込む接合する。この接合は、一対の分割コンタクトレンズの間に着色部材を挟み込み貼り付ける。
【００３９】
このようにして、老眼矯正コンタクトレンズ１に環状の着色部２を設け、この環状の着色部２によりレンズ中心に着色しない円形の絞り透明部３を、精密な寸法精度、精密な位置精度、鮮明な輪郭で形成することが可能である。
【００４０】
（老眼矯正コンタクトレンズ）
この老眼矯正コンタクトレンズ１は、図１３に示すように、一対の分割コンタクトレンズ２１，２１の間に、環状の着色部材２２を挟み込み接合し、環状の着色部２によりレンズ中心に着色しない円形の絞り透明部３を形成した構成である。この老眼矯正コンタクトレンズ１は、第１の実施の形態において説明した実施形態１乃至実施形態６と同様に構成することができる。
【００４１】
［第３の実施の形態］
第３の実施の形態の老眼矯正コンタクトレンズの製造方法を、図１４に基づいて説明する。図１４は老眼矯正コンタクトレンズの製造工程を説明する図である。
【００４２】
この実施の形態の老眼矯正コンタクトレンズの製造は、図１４に示すように、レンズ成形工程Ｃ１と、着色部材成形工程Ｃ２と、カバー工程Ｃ３とを有し、老眼矯正コンタクトレンズ１に環状の着色部２を設け、このレンズ中心に着色しない円形の絞り透明部３を形成する。
【００４３】
（レンズ成形工程Ｃ１）
レンズ成形工程Ｃ１では、コンタクトレンズを成形する。このコンタクトレンズ３１は、第２の実施の形態と同様に製造する。
【００４４】
（着色部材成形工程Ｃ２）
着色部材成形工程Ｃ２では、環状の着色部材３２を第２の実施の形態と同様に成形する。
【００４５】
（カバー工程Ｃ３）
カバー工程Ｃ３では、コンタクトレンズ３１に環状の着色部材３２を設けてカバー材３３にて覆う。カバー材３３として、レンズ素材のモノマーまたはポリマーよりも親水性、生体適合性があり滑らである部材が好ましく、例えばポリアクリル酸（ＰＡＡ）表面複合体、または炭化水素コートまたはポリマーコート、またはポリマー性カーボン第１コートなどを用いる。
【００４６】
このようにして、老眼矯正コンタクトレンズ１に環状の着色部２を設け、この環状の着色部２によりレンズ中心に着色しない円形の絞り透明部３を、精密な寸法精度、精密な位置精度、鮮明な輪郭で形成することが可能である。
【００４７】
（老眼矯正コンタクトレンズ）
この老眼矯正コンタクトレンズ１は、図１５に示すように、コンタクトレンズ３１に、環状の着色部材３２を設け、着色部材３２をカバー材３３にて覆い、環状の着色部２によりレンズ中心に着色しない円形の絞り透明部２を形成した構成である。この老眼矯正コンタクトレンズ１は、第１の実施の形態において説明した実施形態１乃至実施形態６と同様に構成することができる。
【００４８】
（老眼矯正コンタクトレンズの構造）
この老眼矯正コンタクトレンズを、図１６に基づいて説明する。
【００４９】
この老眼矯正コンタクトレンズ１は、着色部２を有し、この着色部２の中心部に着色しない円形の絞り透明部３を形成した構成である。着色部２は、絞り透明部３を除いて全面に設けても良いが、絞り透明部３は直径０．８乃至１．６ｍｍの円形が好ましい。この実施の形態の着色部２は、直径８．０乃至１０．０ｍｍの外周縁部と、直径０．８乃至１．６ｍｍの内周縁部とにより構成される環状の着色部としている。着色部２は、黒色であるが、この黒色に限定されず、紺、赤、茶色などでもよく、明度の低い色が好ましい。
【００５０】
絞り透明部３は、着色部２の中心部に形成され、老眼矯正コンタクトレンズ１を眼の角膜の表面に装着した際に、眼に入る光の量を減らし、焦点の合う範囲が広がり鮮明に見えるように機能する。
【００５１】
また、着色部２は、直径８．０乃至１０．０ｍｍの外周縁部と、直径０．８ｍｍ乃至１．６ｍｍの内周縁部とにより構成される環状であり、直径８．０乃至１０．０ｍｍの外周縁部とすることで、着色部２の外周縁部がほぼ眼の瞳の大きさに対応しており、外部から老眼矯正コンタクトレンズ１を装着している印象がなく体裁が良い。また、絞り透明部３の直径が０．８ｍｍ乃至１．６ｍｍであることが、眼に入る光の量を減らし、しかも焦点の合う範囲をより広げることができ好ましい。
【００５２】
老眼矯正コンタクトレンズ１は、乱視、近視、および遠視のさまざまな組合せにすることができる。
【００５３】
（老眼矯正方法）
この発明の老眼矯正方法を、図１７及び図１８に基づいて説明する。老眼が進み、老眼鏡を使用するようになると、老眼矯正コンタクトレンズ１を、図１７に示すように、老眼が進んだ片方の眼５０の角膜５１の表面に装着する。このように老眼矯正コンタクトレンズ１を装着すると、着色部２の直径０．８ｍｍ乃至１．６ｍｍの内周縁部により形成された絞り透明部３を通して焦点合わせが可能になる。
【００５４】
したがって、図１８（ａ）に示すように、老眼矯正コンタクトレンズ１を、老眼が進んだ片方の眼５０の角膜５１の表面に装着したことで、老眼矯正コンタクトレンズ１の絞り透明部３を通して焦点合わせを可能になり、この絞り透明部３により眼５０に入る光の量が減り、焦点の合う範囲が広がり鮮明に見えるようになる。
【００５５】
これに対して、老眼矯正コンタクトレンズ１を装着しない状態では、図１８（ｂ）に示すように、眼５０に入る光の量が多く、ぼやけたり、かすむなど不鮮明である。
【００５６】
この老眼矯正コンタクトレンズ１を使用した老眼矯正方法は、老眼が進んだ片方の矯正に使用することで、両眼とのバランスが行われ、見え方に違和感がなくなる。
【産業上の利用可能性】
【００５７】
この発明は、角膜に直接装着して使用される矯正コンタクトレンズの製造方法に適用可能であり、着色部によりレンズ中心に着色しない絞り透明部を、精密な寸法精度、精密な位置精度、鮮明な輪郭で形成することが可能である。
【符号の説明】
【００５８】
１  矯正コンタクトレンズ
２  着色部
３  絞り透明部
Ａ１  レンズ素材充填工程
Ａ２  マスキング工程
Ａ３  着色剤定着工程
Ａ４  マスキング材除去工程
Ａ５  カバー工程
Ｂ１  レンズ成形工程
Ｂ２  着色部材成形工程
Ｂ３  接合工程
Ｃ１  レンズ成形工程
Ｃ２  着色部材成形工程
Ｃ３  カバー工程
【図１】
2014006432.tif 000003
【図２】
2014006432.tif 000004
【図３】
2014006432.tif 000005
【図４】
2014006432.tif 000006
【図５】
2014006432.tif 000007
【図６】
2014006432.tif 000008
【図７】
2014006432.tif 000009
【図８】
2014006432.tif 000010
【図９】
2014006432.tif 000011
【図１０】
2014006432.tif 000012
【図１１】
2014006432.tif 000013
【図１２】
2014006432.tif 000014
【図１３】
2014006432.tif 000015
【図１４】
2014006432.tif 000016
【図１５】
2014006432.tif 000017
【図１６】
2014006432.tif 000018
【図１７】
2014006432.tif 000019
【図１８】
2014006432.tif 000020